(57)【特許請求の範囲】
【請求項１】
枠体と、該枠体の内側に装着される照明ユニットとを具備し、
前記枠体は、天井下地の野縁受の下面又は野縁の下面に取り付けられる上板部と、該上板部の一端から下向きに延びる側板部と、該側板部の下端から前記上板部と略平行に延びる下板部とを有し、
壁際において前記側板部が前記上板部を挟んで壁材に対向するように前記枠体が配置され、
前記上板部は前記下板部よりも前記側板部から離間する方向に長く延び、その延びた先の下面には前記壁材が当接し、
前記照明ユニットは前記下板部の上方に配置されることを特徴とする照明装置。
【請求項２】
前記側板部の外面側に天井材が当接し、前記下板部の下面を前記天井材の下方に設けた別の天井材で覆ってある請求項１に記載の照明装置。
【発明の詳細な説明】
【技術分野】
【０００１】
本発明は、例えば、間接照明に用いられる照明装置に関する。
【背景技術】
【０００２】
例えば特許文献１，２に示す照明装置では、光源からの光が直接床面に照射されるので、不快感や物の見えづらさを生じさせるグレアの影響が懸念される。これに対し、光源からの光が直接床面に照射されず、壁面や天井面で反射した後に床面に向かうようにした間接照明では、グレアの影響を軽減することができる。
【先行技術文献】
【特許文献】
【０００３】
【特許文献１】特許第４５５３０９０号公報
【特許文献２】特開２００３−３３１６３８号公報
【発明の概要】
【発明が解決しようとする課題】
【０００４】
ところで、従来、図４に示すように、間接照明用の照明器具５１を天井面から突出しない状態で設ける場合（天井埋め込み型とする場合）、天井材１０を支持する鋼製下地（野縁受）３の上側に照明器具５１を配置し、この照明器具５１のさらに上方や側方にも鋼製下地３等を設けていたため、構造及び施工が複雑化し、施工コストの上昇と工期の長期化を招来するという問題がある。
【０００５】
本発明は上述の事柄に留意してなされたもので、その目的は、間接照明を実現する上で、施工コストの低減や工期の短縮を図ることのできる照明装置を提供することにある。
【課題を解決するための手段】
【０００６】
上記目的を達成するために、本発明に係る照明装置は、枠体と、該枠体の内側に装着される照明ユニットとを具備し、前記枠体は、天井下地の野縁受の下面又は野縁の下面に取り付けられる上板部と、該上板部の一端から下向きに延びる側板部と、該側板部の下端から前記上板部と略平行に延びる下板部とを有し、壁際において前記側板部が前記上板部を挟んで壁材に対向するように前記枠体が配置され、前記上板部は前記下板部よりも前記側板部から離間する方向に長く延び、その延びた先の下面には前記壁材が当接し、前記照明ユニットは前記下板部の上方に配置される（請求項１）。
【０００７】
上記照明装置は、前記側板部の外面側に天井材が当接し、前記下板部の下面を前記天井材の下方に設けた別の天井材で覆ってあるものであってもよい（請求項２）。
【発明の効果】
【０００８】
本願発明では、間接照明を実現する上で、施工コストの低減や工期の短縮を図ることのできる照明装置が得られる。
【０００９】
すなわち、本願の各請求項に係る発明の照明装置では、天井下地の野縁受や野縁を、通常の天井部分と同じ位置に通す納まりとすることができ、野縁受等を特別に加工する必要がなく、施工が複雑化しないので、間接照明設置部分の天井下地のローコスト化及び工期の短縮を図ることができる。
【００１０】
また、枠体と照明ユニットとからなる本例の照明装置を予めユニット化して野縁受等に直接取り付けることができるので、この点でも施工が容易となるとともに、照明装置をシンプルな納まりとして意匠性を上げることも可能である。
【００１１】
さらに、例えば既存天井の改修工事において間接照明を新たに設置する場合でも、野縁受等の大幅な加工・改修は不要であるため、その施工を簡易に行うことができる。
【００１２】
壁際において側板部が上板部を挟んで壁面に対向するように枠体が配置されているので、間接照明に好適となる。
【図面の簡単な説明】
【００１３】
【図１】本発明の一実施の形態に係る照明装置の構成を概略的に示す説明図である。
【図２】前記照明装置の変形例の構成を概略的に示す説明図である。
【図３】前記照明装置の他の変形例の構成を概略的に示す説明図である。
【図４】前記照明装置の従来例の構成を概略的に示す説明図である。
【発明を実施するための形態】
【００１４】
本発明の実施の形態について図面を参照しながら以下に説明する。
【００１５】
図１に示す照明装置は、天井埋め込み型の間接照明として壁際に設置されるものであって、枠体１と、枠体１の内側に装着される照明ユニット（ＬＥＤモジュール）２とを具備している。
【００１６】
枠体１は、金属製又は合成樹脂製の部材であり、天井下地の野縁受（例えばＣバー）３に支持される野縁（例えばＭバー）４の下面に例えばビス等により取り付けられる上板部５と、上板部５の一端から下向きに延びる側板部６と、側板部６の下端から上板部５と略平行に延びる下板部７とを有する。そして、上板部５は下板部７よりも側板部６から離間する方向に長く延び、その他端側の下面には壁材８が当接する。なお、壁材８の表面には壁仕上げ材（本例ではメラミン化粧板）９が設けられる。
【００１７】
照明ユニット２は、枠体１の下板部７の上方（具体的には、下板部７と側板部６と上板部５とで囲まれる空間内）に配置されるのであり、枠体１の適宜の箇所には、照明ユニット２の配線用の穴（図示していない）を設けてある。ここで、照明ユニット２は、グレアの発生防止や照明効率の向上を図ることのできる方向に光を照射するように構成することが好ましい。なお、本例の照明ユニット２は、光源としてＬＥＤを用いているが、他の光源を用いるものでもよい。また、本例の照明ユニット２は、枠体１の長手方向（図１において紙面に直交する方向）に延びているが、例えば照明ユニット２に比べて枠体１が長い場合には、照明ユニット２を枠体１の長手方向に間隔をおいて、又は間隔をあけずに複数設けてもよい。
【００１８】
そして、枠体１の側板部６の外面側には、図外の野縁４に取り付けられる天井材１０が当接する。なお、側板部６と天井材１０との間に、シーリング材等を適宜設けてもよい。また、図１に示す例では、天井材１０の下面より下板部７の下面が下方に位置するように構成してあるが、これに限らず、例えば両者７，１０の下面が同一面上に位置するようにしてもよい。
【００１９】
上記構成からなる照明装置は、コンパクトな照明ユニット２を採用し、これを枠体１内に装着することにより、間接照明を天井仕上面から野縁４までという非常に小さな空間で実現することを可能とするものである。そのため、天井下地の野縁受３を、通常の天井部分と同じ位置に通す納まりとすることができ、野縁受３等を特別に加工する必要がなく、施工が複雑化しないので、間接照明設置部分の天井下地のローコスト化及び工期の短縮を図ることができる。
【００２０】
また、枠体１と照明ユニット２とからなる本例の照明装置は、予めユニット化して、野縁４に直接取り付けることができるので、この点でも施工が容易となるとともに、照明装置をシンプルな納まりとして意匠性を上げることも可能である。
【００２１】
さらに、例えば既存天井の改修工事において間接照明を新たに設置する場合でも、野縁受３等の大幅な加工・改修は不要であるため、その施工を簡易に行うことができる。
【００２２】
加えて、本例の照明装置は、壁際において側板部６が上板部５を挟んで壁面（壁材８）に対向するように枠体１が配置されているので、間接照明に好適である。
【００２３】
なお、本発明は、上記の実施の形態に何ら限定されず、本発明の要旨を逸脱しない範囲において種々に変形して実施し得ることは勿論である。例えば、以下のような変形例を挙げることができる。
【００２４】
図１に示す例では、枠体１を野縁４の下面に取り付けているが、この場合、非常にコンパクトな照明ユニット２を用いるのが好ましく、そのような照明ユニット２は限られる。そこで、図２に示すように、枠体１を野縁受３の下面に取り付けるようにしてもよい。図２に示す例では、側板部６が野縁４に沿う位置にあるが、側板部６を野縁４から離してあってもよい。また、側板部６を野縁４に沿わせる場合、側板部６を野縁４に取り付けるようにしてもよい。
【００２５】
ここで、図２に示す例では、枠体１の下板部７が露出するが、図３に示すように、天井材１０の下方に他の天井材１１を設け、この天井材１１で下板部７の下面を覆い、下板部７が露出しなくなるようにしてもよい。この場合、天井材１１の先端に天井見切縁１２を設けることが好ましい。
【００２６】
なお、図３に示した天井材１１を、図１に示す例に用いてもよく、このように、本明細書で挙げた変形例どうしを適宜組み合わせてもよいことはいうまでもない。
【符号の説明】
【００２７】
１    枠体
２    照明ユニット
３    野縁受
４    野縁
５    上板部
６    側板部
７    下板部
８    壁材
９    壁仕上げ材
１０    天井材
１１    天井材
１２    天井見切縁
５１    照明器具
【図１】
0006622022.tif 000002
【図２】
0006622022.tif 000003
【図３】
0006622022.tif 000004
【図４】
0006622022.tif 000005